【手続補正書】
【提出日】平成19年11月26日(2007.11.26)
【手続補正１】
【補正対象書類名】明細書
【補正対象項目名】００５３
【補正方法】変更
【補正の内容】
【００５３】
ＤＶＤレコーダにおいて、映像再生中に３０秒スキップが行われる度に（ステップＳ１）、再生区間リストＢを検索して、スキップを行った区間の全てまたは一部が含まれているかどうかを調べる（ステップＳ２）。もし、スキップ開始点Ｓsが再生区間リストＢ中のある再生区間Ｋに含まれており（ステップＳ３でＹｅｓ）、かつ再生区間Ｋの開始点Ｋsがスキップ開始点Ｓsと同じでなく（ステップＳ４でＮｏ）、かつ再生区間Ｋにスキップ終了点Ｓeが存在し（ステップＳ５でＹｅｓ）、かつ再生区間Ｋの終了点Ｋeがスキップ終了点Ｓeと同じでなく（ステップＳ６でＹｅｓ）、かつ再生区間リストＢに新たな再生区間を追加可能な場合には（ステップＳ７でＹｅｓ）、図２（ａ）に示すように、再生区間番号につき再生区間(Ｋ＋１)以降を再生区間(Ｋ＋２)以降として１つずつ後ろに繰り下げ（ステップＳ８）、再生区間(Ｋ＋１)の再生開始点(Ｋ＋１)sをスキップ終了点Ｓeとするとともに（ステップＳ９）、再生終了点(Ｋ＋１)eを再生区間Ｋの終了点Ｋeとして新たな再生区間(Ｋ＋１)を作成し（ステップＳ１０）、その上で再生区間Ｋの終了点Ｋeをスキップ開始点Ｓsに変更する（ステップＳ１１）。
【手続補正２】
【補正対象書類名】明細書
【補正対象項目名】００５４
【補正方法】変更
【補正の内容】
【００５４】
なお、再生区間リストＢと実記録データＡとの関係を３０秒スキップ前と３０秒スキップ後で示した図５も参考となる。再生区間のナンバーが(Ｋ＋１)以降１つずつ後方にずれていることが分かる。
【手続補正３】
【補正対象書類名】明細書
【補正対象項目名】００５５
【補正方法】変更
【補正の内容】
【００５５】
もし、スキップ開始点Ｓsが再生区間リストＢ中のある再生区間Ｋに含まれており（ステップＳ３でＹｅｓ）、かつ再生区間Ｋの開始点Ｋsがスキップ開始点Ｓsと同じでなく（ステップＳ４でＮｏ）、かつ再生区間Ｋにスキップ終了点Ｓeが存在し（ステップＳ５でＹｅｓ）、かつ再生区間Ｋの終了点Ｋeがスキップ終了点Ｓeと同じでなく（ステップＳ６でＹｅｓ）、かつ再生区間リストＢに新たな再生区間を追加不可能な場合には（ステップＳ７でＮｏ）、何もしない（処理終了）。
【手続補正４】
【補正対象書類名】明細書
【補正対象項目名】００５６
【補正方法】変更
【補正の内容】
【００５６】
もし、スキップ開始点Ｓsが再生区間リストＢ中のある再生区間Ｋに含まれており（ステップＳ３でＹｅｓ）、かつ再生区間Ｋの開始点Ｋsがスキップ開始点Ｓsと同じでなく（ステップＳ４でＮｏ）、かつ再生区間Ｋにスキップ終了点Ｓeが存在しない（ステップＳ５でＮｏ）か、再生区間Ｋの終了点Ｋeがスキップ終了点Ｓeと同じな場合には（ステップＳ６でＮｏ）、再生区間Ｋの終了点Ｋeをスキップ開始点Ｓsにする（ステップＳ１２）。ここでの動作説明には図２（ｂ）を参照できる。
【手続補正５】
【補正対象書類名】明細書
【補正対象項目名】００５７
【補正方法】変更
【補正の内容】
【００５７】
もし、スキップ開始点Ｓsが再生区間リストＢ中のある再生区間Ｋに含まれており（ステップＳ３でＹｅｓ）、かつ再生区間Ｋの開始点Ｋsがスキップ開始点Ｓsと同じであり（ステップＳ４でＹｅｓ）、かつ再生区間Ｋにスキップ終了点Ｓeが存在し（ステップＳ１３でＹｅｓ）、かつ再生区間Ｋの終了点Ｋeがスキップ終了点Ｓeと同じでない場合には（ステップＳ１４でＹｅｓ）、再生区間Ｋの開始点Ｋsをスキップ終了点Ｓeにする（ステップＳ１５）。ここでの動作説明には図２（ｃ）を参照できる。
【手続補正６】
【補正対象書類名】明細書
【補正対象項目名】００５８
【補正方法】変更
【補正の内容】
【００５８】
もし、スキップ開始点Ｓsが再生区間リストＢ中のある再生区間Ｋに含まれており（ステップＳ３でＹｅｓ）、かつ再生区間Ｋの開始点Ｋsがスキップ開始点Ｓsと同じであり（ステップＳ４でＹｅｓ）、かつ再生区間Ｋにスキップ終了点Ｓeが存在しない（ステップＳ１３でＮｏ）か、再生区間Ｋの終了点Ｋeがスキップ終了点Ｓeと同じであれば（ステップＳ１４でＮｏ）、再生区間Ｋを削除し（ステップＳ１６）、再生区間(Ｋ＋１)以降を再生区間Ｋ以降として１つずつ前にずらす（ステップＳ１７）。ここでの動作説明には図２（ｄ）を参照できる。
【手続補正７】
【補正対象書類名】明細書
【補正対象項目名】００５９
【補正方法】変更
【補正の内容】
【００５９】
もし、スキップ開始点Ｓsを含まず（ステップＳ３でＮｏ）、スキップ終了点Ｓeを含んだ再生区間Ｋが再生区間リストＢ中に存在し（ステップＳ１８でＹｅｓ）、かつ再生区間Ｋの終了点Ｋeがスキップ終了点Ｓeと同じでない場合には（ステップＳ１９でＹｅｓ）、再生区間Ｋの開始点Ｋsをスキップ終了点Ｓeにする（ステップＳ１５）。ここでの動作説明には図２（ｃ）を参照できる。
【手続補正８】
【補正対象書類名】明細書
【補正対象項目名】００６０
【補正方法】変更
【補正の内容】
【００６０】
もし、スキップ開始点Ｓsを含まず（ステップＳ３でＮｏ）、スキップ終了点Ｓeを含んだ再生区間Ｋが再生区間リストＢ中に存在し（ステップＳ１８でＹｅｓ）、再生区間Ｋの終了点Ｋeがスキップ終了点Ｓeと同じであるか（ステップＳ１９でＮｏ）、もしくはスキップ開始点Ｓsもスキップ終了点Ｓeも含まないスキップ区間の一部を含んだ再生区間Ｋが存在した場合には（ステップＳ２０でＹｅｓ）、再生区間Ｋを削除し（ステップＳ１６）、再生区間(Ｋ＋１)以降を再生区間Ｋ以降として１つずつ前にずらす（ステップＳ１７）。ここでの動作説明には図２（ｄ）を参照できる。
【手続補正９】
【補正対象書類名】明細書
【補正対象項目名】００６２
【補正方法】変更
【補正の内容】
【００６２】
なお、再生時にユーザが実記録データを全て再生するか、自動的に作られた再生区間リストＢに基づいて再生するかを選択することも可能である。
【手続補正１０】
【補正対象書類名】明細書
【補正対象項目名】００６５
【補正方法】変更
【補正の内容】
【００６５】
映像再生中に、３０秒スキップが行われた後（ステップＳ２１でＹｅｓ）、所定時間τ以内に続けて３０秒スキップが行われた場合（ステップＳ２１）、再生区間リストＢ中に１回目のスキップ終了点Ｓeから２回目のスキップ終了点Ｓeまでの区間の全てまたは一部が含まれているかどうかを検索する（ステップＳ２２）。
【手続補正１１】
【補正対象書類名】明細書
【補正対象項目名】００６６
【補正方法】変更
【補正の内容】
【００６６】
もし、１回目スキップ終了点Ｓeが再生区間リストＢ中のある再生区間(Ｋ＋１)に含まれており（ステップＳ２３でＹｅｓ）、かつ再生区間(Ｋ＋１)に２回目スキップ終了点Ｓeが存在し（ステップＳ２４でＹｅｓ）、かつ再生区間(Ｋ＋１)の終了点(Ｋ＋１)eが２回目スキップ終了点Ｓeと同じでない場合には（ステップＳ２５でＹｅｓ）、再生区間(Ｋ＋１)の開始点(Ｋ＋１)sを２回目スキップ終了点Ｓeにする（ステップＳ２９）。ここでの動作説明には図８（ａ）を参照できる。なお、再生区間リストと実記録データＡとの関係を３０秒スキップ前と３０秒スキップ後で示した図９も参考となる。新の再生区間(Ｋ＋１)では、その前部一部が削除されていることが分かる。１回目スキップ終了点Ｓeと２回目スキップ開始点Ｓsとの間も削除されている。
【手続補正１２】
【補正対象書類名】明細書
【補正対象項目名】００６７
【補正方法】変更
【補正の内容】
【００６７】
もし、１回目スキップ終了点Ｓeが再生区間リストＢ中のある再生区間(Ｋ＋１)に含まれており（ステップＳ２３でＹｅｓ）、かつ再生区間(Ｋ＋１)に２回目スキップ終了点Ｓeが存在しないか（ステップＳ２４でＮｏ）、再生区間(Ｋ＋１)の終了点(Ｋ＋１)eが２回目スキップ終了点Ｓeと同じであれば（ステップＳ２５でＮｏ）、再生区間(Ｋ＋１)を削除し（ステップＳ３０）、再生区間(Ｋ＋２)以降を再生区間(Ｋ＋１)以降として１つずつ前にずらす（ステップＳ３１）。ここでの動作説明には図８（ｂ）を参照できる。旧の再生区間(Ｋ＋１)は全て削除されている。１回目スキップ終了点Ｓeと２回目スキップ開始点Ｓsとの間も削除されている。
【手続補正１３】
【補正対象書類名】明細書
【補正対象項目名】００６８
【補正方法】変更
【補正の内容】
【００６８】
もし、１回目スキップ終了点Ｓeを含まず（ステップＳ２３でＮｏ）、２回目スキップ終了点Ｓeを含んだ再生区間(Ｋ＋１)が再生区間リストＢ中に存在し（ステップＳ２６でＹｅｓ）、かつ再生区間(Ｋ＋１)の終了点(Ｋ＋１)eが２回目スキップ終了点Ｓeと同じでない場合には（ステップＳ２７でＹｅｓ）、再生区間(Ｋ＋１)の開始点(Ｋ＋１)sを２回目スキップ終了点Ｓeにする（ステップＳ２９）。ここでの動作説明には図８（ｃ）を参照できる。
【手続補正１４】
【補正対象書類名】明細書
【補正対象項目名】００６９
【補正方法】変更
【補正の内容】
【００６９】
もし、１回目スキップ終了点Ｓeを含まず（ステップＳ２３でＮｏ）、２回目スキップ終了点Ｓeを含んだ再生区間(Ｋ＋１)が再生区間リストＢ中に存在し（ステップＳ２６でＹｅｓ）、再生区間(Ｋ＋１)の終了点(Ｋ＋１)eが２回目スキップ終了点Ｓeと同じであるか（ステップＳ２７でＮｏ）、もしくは１回目スキップ終了点Ｓeも２回目スキップ終了点Ｓeも含まないスキップ区間Ｓの一部を含んだ再生区間(Ｋ＋１)が存在した場合には（ステップＳ２８でＹｅｓ）、再生区間(Ｋ＋１)を削除し（ステップＳ３０）、再生区間(Ｋ＋２)以降を再生区間(Ｋ＋１)以降として１つずつ前にずらす（ステップＳ３１）。ここでの動作説明には図８（ｄ）を参照できる。旧の再生区間(Ｋ＋１)の全てが削除されている。
【手続補正１５】
【補正対象書類名】明細書
【補正対象項目名】００７２
【補正方法】変更
【補正の内容】
【００７２】
本実施の形態によれば、情報再生中に一定時間スキップ（３０秒スキップ）が行われた後、所定時間τ内に再度一定時間スキップが行われた場合には、再生区間リストＢの変更により、２回のスキップ区間を再生区間から削除するだけでなく、１回目の一定時間スキップ終了点から２回目の一定時間スキップ開始点までも再生区間から削除する。これにより、１回目のスキップを行ってから２回目のスキップを行うことをユーザが判断する間に再生された区間についても、以降に情報再生する度に自動的にスキップすることが可能になる。その結果として、本来ユーザの再生したくない情報については、それの再生を禁止することができ、所期通りのスキップ動作を実現できる。
【手続補正１６】
【補正対象書類名】明細書
【補正対象項目名】００７４
【補正方法】変更
【補正の内容】
【００７４】
逆方向３０秒スキップ手段Ｍ１を有するＤＶＤレコーダにおいて、映像再生中に逆方向の３０秒スキップが行われた場合（ステップＳ４１）、逆方向スキップ開始点Ｒsと逆方向スキップ終了点Ｒeを特定した上で、再生区間リストＢ中に逆方向スキップ区間Ｒの全てまたは一部が含まれていないかどうかを検索する（ステップＳ４２）。
【手続補正１７】
【補正対象書類名】明細書
【補正対象項目名】００７５
【補正方法】変更
【補正の内容】
【００７５】
もし、逆方向スキップ開始点Ｒsが再生区間リストＢ中のある再生区間(Ｋ＋１)に含まれており（ステップＳ４３でＹｅｓ）、かつ再生区間(Ｋ＋１)に逆方向スキップ終了点Ｒeが存在する場合には（ステップＳ４４でＹｅｓ）、何もしない（処理終了）。
【手続補正１８】
【補正対象書類名】明細書
【補正対象項目名】００７６
【補正方法】変更
【補正の内容】
【００７６】
もし、逆方向スキップ開始点Ｒsが再生区間リストＢ中のある再生区間(Ｋ＋１)に含まれており（ステップＳ４３でＹｅｓ）、かつ再生区間(Ｋ＋１)に逆方向スキップ終了点Ｒeが存在しない場合には（ステップＳ４４でＮｏ）、再生区間(Ｋ＋１)の開始点(Ｋ＋１)sを逆方向スキップ終了点Ｒeとする（ステップＳ５０）。この動作説明には図１２が参考になる。
【手続補正１９】
【補正対象書類名】明細書
【補正対象項目名】００７７
【補正方法】変更
【補正の内容】
【００７７】
もし、逆方向スキップ開始点Ｒsが含まれていないが（ステップＳ４３でＮｏ）、逆方向スキップ終了点Ｒeが含まれている再生区間リストＢ中のある再生区間(Ｋ＋１)が存在する場合には（ステップＳ４５でＹｅｓ）、再生区間(Ｋ＋１)の開始点(Ｋ＋１)sを逆方向スキップ終了点Ｒeとする（ステップＳ５０）。
【手続補正２０】
【補正対象書類名】明細書
【補正対象項目名】００７８
【補正方法】変更
【補正の内容】
【００７８】
もし、逆方向スキップ開始点Ｒsも逆方向スキップ終了点Ｒeも含まれていないが（ステップＳ４３でＮｏかつステップＳ４５でＮｏ）、逆方向スキップ区間Ｒの一部を含む再生区間(Ｋ＋１)が再生区間リストＢ中に存在する場合には（ステップＳ４６でＹｅｓ）、再生区間(Ｋ＋１)の開始点(Ｋ＋１)sを逆方向スキップ終了点Ｒeとし（ステップＳ５１）、再生区間(Ｋ＋１)の終了点(Ｋ＋１)eを逆方向スキップ開始点Ｒsとする（ステップＳ５２）。
【手続補正２１】
【補正対象書類名】明細書
【補正対象項目名】００７９
【補正方法】変更
【補正の内容】
【００７９】
もし、逆方向スキップ区間Ｒの一部が含まれている再生区間が再生区間リストＢ中に存在せず、再生区間リストＢに新しい再生区間を追加可能であり、かつ逆方向スキップ開始点Ｒs以降を含む再生区間(Ｋ＋１)が存在する場合には（ステップＳ４９でＹｅｓ）、再生区間(Ｋ＋１)以降を再生区間(Ｋ＋２)以降として１つずつ後ろにずらし（ステップＳ５３）、再生区間(Ｋ＋１)の開始点(Ｋ＋１)sを逆方向スキップ終了点Ｒeとし（ステップＳ５４）、再生区間(Ｋ＋１)の終了点(Ｋ＋１)eを逆方向スキップ開始点Ｒsとする（ステップＳ５５）。
【手続補正２２】
【補正対象書類名】明細書
【補正対象項目名】００８０
【補正方法】変更
【補正の内容】
【００８０】
もし、逆方向スキップ区間Ｒの一部が含まれている再生区間が再生区間リストＢ中に存在せず、再生区間リストＢに新しい再生区間を追加可能であり、かつ逆方向スキップ開始点Ｒs以降を含む再生区間(Ｋ＋１)が存在しない場合には（ステップＳ４９でＮｏ）、再生区間リストＢの最後に再生区間(Ｋ＋１)を追加した上で、再生区間(Ｋ＋１)の開始点(Ｋ＋１)sを逆方向スキップ終了点Ｒeとし（ステップＳ５４）、再生区間(Ｋ＋１)の終了点(Ｋ＋１)eを逆方向スキップ開始点Ｒsとする（ステップＳ５５）。
【手続補正２３】
【補正対象書類名】明細書
【補正対象項目名】００８１
【補正方法】変更
【補正の内容】
【００８１】
もし、逆方向スキップ区間Ｒの一部が含まれている再生区間が再生区間リストＢ中に存在せず、再生区間リストＢに新しい再生区間を追加不可能な場合には（ステップＳ４７でＮｏ）、何もしない。
【手続補正２４】
【補正対象書類名】明細書
【補正対象項目名】００８２
【補正方法】変更
【補正の内容】
【００８２】
本実施の形態によれば、情報再生中に逆方向の一定時間スキップ（３０秒スキップ）が行われた場合には、もし、再生区間リストＢに逆方向スキップ区間またはその一部が含まれていなかった場合には、逆方向スキップ区間を再生区間から削除しないように再生区間リストＢを変更する。これにより、逆方向スキップを行うことで、ユーザが本来再生したい箇所は、以降自動的にスキップさせずに情報再生することが可能になる。
【手続補正２５】
【補正対象書類名】明細書
【補正対象項目名】００８４
【補正方法】変更
【補正の内容】
【００８４】
ＤＶＤレコーダの映像再生中に３０秒スキップが行われる度に（ステップＳ１）、まずは新たな再生区間リストＢを追加可能であるかをチェックし（ステップＳ６２）、再生プログラムを含んだ再生区間リストＢがあるかを検索する（ステップＳ６３）。新たな再生区間リストＢを追加不可能な場合、何もしない（処理終了）。新たな再生区間リストＢを追加可能であり（ステップＳ６２でＹｅｓ）、かつ再生プログラムを含んだ再生区間リストＢが存在しない場合（ステップＳ６３でＮｏ）、該当する再生プログラムの先頭を再生開始点Ｋs１、再生プログラムの最後を再生終了点Ｋe１とした再生区間Ｋ１のみを含む再生区間リストＢを作成する（ステップＳ６４）。新たな再生区間リストＢを追加可能であり、かつ再生プログラムを含んだ再生区間リストＢが存在する場合には（ステップＳ６３でＹｅｓ）、その再生区間リストＢを複製する（ステップＳ６５）。さらに新たに作成、もしくは複製した再生区間リストＢ中にスキップを行った区間の全てまたは一部が含まれているかどうかを検索する（ステップＳ６６）。これ以降は、図２、図３に示した実施の形態１の場合の処理と同様であり、説明を省略する。この動作説明には図１５が参考になる。Ｂ′が複製された再生区間リストである。
【手続補正２６】
【補正対象書類名】明細書
【補正対象項目名】００８５
【補正方法】変更
【補正の内容】
【００８５】
本実施の形態によれば、情報再生中に一定時間スキップ（３０秒スキップ）が行われ再生区間リストＢを変更する際に、もし、既に再生区間リストＢが存在しているときは、存在している再生区間リストＢを複製して残しておいてから、片方の再生区間リストＢを変更する。これにより、ユーザが作成した再生区間リストＢを残したままスキップ情報を再生区間リストＢに反映することが可能になる。
【手続補正２７】
【補正対象書類名】明細書
【補正対象項目名】０１８２
【補正方法】変更
【補正の内容】
【０１８２】
Ａ  実記録データ
Ｂ  再生区間リスト
Ｃ  記録情報削除予約区間情報
Ｍ１  ３０秒スキップ手段
Ｍ２  再生区間リスト読み出し手段
Ｍ３  再生区間リスト変更手段
Ｍ４  記録情報編集手段
Ｍ５  場面切替り検出手段
Ｍ６  印付加手段
Ｍ７  印検索手段
Ｍ８  印削除手段
Ｍ９  輝度差判定手段
Ｍ１０  音声モード切替り検出手段
Ｍ１１  無音検出手段